(57)【要約】【課題】撮影画像とその撮影画像に関連する関連情報を複数種類の出力メディアで出力することで出力メディアのコストを抑えることができる画像処理システムを提供する。【解決手段】画像処理装置１０において、出力処理部１６は、画像データの種類に応じた出力メディアで画像データを出力するよう出力処理装置２０に指示する第１の出力処理と、画像データに関連する関連情報を当該関連情報の属性に応じた出力メディアで出力するよう出力処理装置２０に指示する第２の出力処理とを行う。また、出力処理装置２０において、画像種別判定処理部２４の判定に従って、画像処理装置１０からの第１の出力処理の指示ではフィルム出力処理部２５が画像データをフィルム出力して、画像処理装置１０からの第２の出力処理の指示では紙出力処理部２６が関連情報を紙出力する。【選択図】  図１
2004341915.tif 000002
【特許請求の範囲】
【請求項１】
画像データを処理する画像処理装置と、種々の情報を複数種類の出力メディアに出力可能な出力処理装置とを具備する画像処理システムであって、
前記画像処理装置は、
前記画像データの種類に応じた出力メディアで前記画像データを出力するよう前記出力処理装置に指示する第１の出力処理と、前記画像データに関連する関連情報を当該関連情報の属性に応じた出力メディアで出力するよう前記出力処理装置に指示する第２の出力処理とを行う出力処理手段を具備し、
前記出力処理装置は、
前記第１の出力処理および第２の出力処理の指示に応じた種類の出力メディアに前記画像データおよび前記関連情報を出力する出力手段を具備すること
を特徴とする画像処理システム。
【発明の詳細な説明】
【０００１】
【発明の属する技術分野】
本発明は、Ｘ線等を用いた放射線撮影により得られる画像データを処理する画像処理システムに関するものである。
【０００２】
【従来の技術】
従来、医用分野で画像診断というと、Ｘ線撮影されたフィルム画像をシャーカステンに掛けて、観察することを指していた。
一方、近年のコンピュータの発展に伴い、医療分野においてもコンピュータ化が浸透してきた。画像診断の分野においてもこの流れが急であり、各種ＣＴや超音波診断機器、ラジオアイソトープを用いた診断機器などの普及には目をみはるものがある。そして、各種診断機器をコンピュータで接続し、各種モダリティ画像を総合的に診断しようとする「総合画像診断」という概念が発生してきた。しかし、Ｘ線フィルム画像は、本質的にアナログ画像であり、画像診断の中で最も使用頻度が多く、かつ、重要視されているにもかかわらず、総合画像診断にうまくとけこめず、画像診断分野のコンピュータ化の障害になっていた。
【０００３】
ところが、近年、固体撮像素子等を用いたＸ線撮影が開発されてきており、Ｘ線画像においてもコンピュータを用いたＸ線画像デジタル画像撮影が徐々に始まってきている。特に、Ｘ線画像の分野では、常に過去画像と比較して読影する為、過去画像と現在画像との間で差分処理を行って、病変の違いを描出するということが提案されている（例えば、特許文献１参照。）。
【０００４】
この現在画像と過去画像との間の差分画像を用いた診断では、濃度の差のみの情報だけの画像である為、現実的に診断を行おうとすると、少なくとも現在画像も読影に用いる事が必須となっている。すなわち、現在画像と差分画像の両者を画像出力装置などにより所定の出力メディアに出力する必要がある。尚、出力メディアとは、フィルム出力であればフィルム、紙出力であれば紙、記憶媒体であれば光磁気ディスクなどが想定される。また、出力メディアの種類は画像出力装置の種類で定まるため、従来は現在画像と差分画像を同じ種類の出力メディアで出力していた。
【０００５】
【特許文献１】
特開平０７−０３７０７４号公報
【０００６】
【発明が解決しようとする課題】
しかしながら、上述した現在画像と差分画像においては、情報量（＝解像度）に大きな差があり（現在画像＞＞差分画像）、現在画像を出力可能な高解像度の出力メディア（例えばフィルム）と同じ出力メディアで低解像度の差分画像を出力することは、コストが嵩むという問題がある。
すなわち、現在画像と、現在画像に関する情報であって情報量に大きな差のある関連情報（例えば差分画像）とを出力する際に、出力メディアを現在画像の解像度に応じた性能となる同一の出力メディアを用いると、関連情報にとって過分な性能を有する出力メディアであり、それがコストの嵩みとなる。
更には、現在画像と差分画像の両者を出力することで、出力メディアが２枚分必要となり、コスト増につながるので、１枚の出力メディアで現在画像および差分画像を出力するシステムへの要望が高まっていた。
【０００７】
この発明は、上述した事情を考慮してなされたもので、撮影画像とその撮影画像に関連する関連情報を複数種類の出力メディアで出力することで出力メディアのコストを抑えることができる画像処理システムを提供することを目的とする。
また、撮影画像とその撮影画像に関連する関連情報を組み合わせて一枚の出力メディアで出力することで出力メディアのコストを抑えることができる画像処理システムを提供することを目的とする。
【０００８】
【課題を解決するための手段】
この発明は、上述した課題を解決すべくなされたもので、本発明による画像処理システムにおいては、画像データを処理する画像処理装置と、種々の情報を複数種類の出力メディアに出力可能な出力処理装置とを具備する画像処理システムであって、上記画像処理装置は、画像データの種類に応じた出力メディアで画像データを出力するよう出力処理装置に指示する第１の出力処理と、画像データに関連する関連情報を当該関連情報の属性に応じた出力メディアで出力するよう出力処理装置に指示する第２の出力処理とを行う出力処理手段を具備し、上記出力処理装置は、第１の出力処理および第２の出力処理の指示に応じた種類の出力メディアに画像データおよび関連情報を出力する出力手段を具備することを特徴とする。
【０００９】
これにより、本発明の画像処理システムにおいては、画像データの種類に応じた出力メディアで画像データを出力し、関連情報の属性に応じた出力メディアで関連情報を出力することができるので、画像データとその画像データに関連する関連情報を複数種類の出力メディアで出力することで出力メディアのコストを抑えることができる。
【００１０】
【発明の実施の形態】
以下、図面を用いて本発明の実施形態について説明する。
［第１の実施形態］
まず、本発明の第１の実施形態として、被験者（または被験者）を順次Ｘ線撮影してＸ線画像データ（デジタル画像）を生成して、そのＸ線画像データに画像処理を行う画像処理装置と、画像を紙とフィルムの両者に印刷できる出力処理装置を具備する画像処理システムの概略構成について説明する。尚、本実施形態では、Ｘ線撮影は、被験者の胸部正面と、胸部側面について２撮影行うこととなっている。
【００１１】
図１は、本発明の第１の実施形態である画像処理システムの概略構成を示す図である。図１に示すように、本実施形態の画像処理システムは、Ｘ線画像を撮影する機能および撮影したＸ線画像データの画像処理を行う機能などを有する画像処理装置１０と、画像処理装置１０の出力指示に応じて紙、フィルムなどの出力媒体（出力メディア）にＸ線画像を印刷出力する出力処理装置２０とから構成されている。また、図１は、画像処理装置１０および出力処理装置２０の主な機能の概略構成を示している。
【００１２】
尚、図１には示していないが出力処理装置２０は、出力した紙及びフィルムを一緒に蓄積可能な排紙トレイを具備する。また、上述した画像処理装置１０は、図示していないが、マウスやキーボードなどの入力装置および、ＣＲＴ（Ｃａｔｈｏｄｅ  Ｒａｙ  Ｔｕｂｅ）や液晶ディスプレイなどの表示装置を具備する。また、画像処理装置１０は、図示していないがＣＰＵ（中央演算装置）およびメモリを内蔵し、種々の機能を実現するプログラムを上記メモリに格納し、上記ＣＰＵが上記メモリよりプログラムを読み出して実行することで、各機能を実現する。また、画像処理装置１０は図１に示していないが、標準のコンピュータが備える種々の機能を具備して好適である。同様に、出力処理装置２０も、図１に示していないが、通常の出力処理装置（プリンタ）が備える種々の機能を具備して好適である。
【００１３】
まず、画像処理装置１０の機能の概略構成について説明する。１１は、制御部であり、画像処理装置１０内の各処理部の動作やデータの流れなどの制御を行う。１２は、画像情報データベースであり、過去に撮影されたＸ線画像データや差分画像データなどを、被験者を特定する被験者識別情報に関連付けて格納する。尚、被験者識別情報とは、例えば被験者の氏名、年齢の情報や、各被験者に固有の番号である被験者番号など、被験者を識別可能な情報である。
【００１４】
１３は、Ｘ線画像撮影処理部であり、被験者の胸部正面と、胸部側面のＸ線撮影を行い、Ｘ線画像データを生成する。１４は、差分画像処理部であり、Ｘ線画像撮影処理部１３が生成したＸ線画像データ（以下、現在画像データとする）と同一被験者に関する、過去に撮影した同種（胸部正面または胸部側面）のＸ線画像データ（以下、過去画像データとする）を画像情報データベース１２より参照して、現在画像データと過去画像データの差分を求め差分画像データを生成する画像処理を行う。尚、画像情報データベース１２に現在画像データを被験者識別情報に関連付けて逐次格納することで、次の撮影時の過去画像データとなる。
【００１５】
この時、差分画像データは、過去画像データ３１と現在画像データ３０の位置情報が相互に完全に同一とはならない為（被験者の撮影機器に対する体の位置や体の状態で多少変化する為）、必ずしも病変部のみを抽出しているデータではない。そのため、Ｘ線画像データと比較し、それほどの解像度を保持する必要は無く、差分画像処理部１４は、差分処理後の差分画像データに対して縮小処理（＝低解像度に変換する処理）を行う。具体的には、胸部正面および胸部側面のＸ線画像データが２５６０画素×２０４８画素のサイズなのに対し、差分画像データにおいては１／４の縮小処理が行われて、６４０画素×５１２画素に縮小される。
【００１６】
１５は、送受信処理部であり、出力処理装置２０と種々のデータの送受信を行う。１６は、出力処理部であり、Ｘ線画像撮影処理部１３が生成したＸ線画像データと、第一の出力メディアによりそのＸ線画像データを出力するよう出力処理装置２０に指示する付帯情報とを、出力処理装置２０へ送受信処理部１５を介して送信する第一の出力処理を行う。更に、出力処理部１６は、差分画像処理部１４の生成する差分画像データに対して第二の出力メディアによりその差分画像データを出力するよう出力処理装置２０に指示する付帯情報とを、出力処理装置２０へ送受信処理部１５を介して送信するための第二の出力処理を行う。ここで、第一の出力メディアとは、高解像度に対応可能な高価な出力メディアであり、それに対して、第二の出力メディアとは、低解像度にのみ対応可能な安価な出力メディアである。具体例を示すと、第一の出力メディアは「フィルム」であり、第二の出力メディアは「紙」である。本実施形態においては、出力処理部１６は、Ｘ線画像データや差分画像データなどの出力画像データに、出力メディアに関する付帯情報を付与する。すなわち、出力処理部１６は、第一の出力処理では出力メディアに「フィルム」を指定する付帯情報を、第二の出力処理では出力メディアに「紙」を指定する付帯情報を付与する。
【００１７】
１７は、出力条件設定処理部であり、上述した付帯情報の設定や、出力メディア別の出力順や、Ｘ線画像の種類別の出力順など出力に関する諸条件を設定する。具体的には、出力条件設定処理部１７は、出力条件を設定するための画面を画像処理装置１０の表示装置に表示して、利用者に出力条件の設定を促す。また、出力条件設定処理部１７は、利用者の設定した出力条件に関する情報である設定情報を保持し、出力処理部１６が出力処理装置２０へ送信する出力画像データに付与する付帯情報に、その設定情報を含ませる。
【００１８】
ここで、上述した付帯情報の設定方法と異なる他の方法について例を挙げて説明する。「フィルム」の付帯情報は、例えば、第一の出力処理に対して、フィルムプリンタへ送出するよう設定することで可能である。この設定により、第一の出力処理の対象となる出力画像データ（＝Ｘ線画像データ）をフィルムプリンタへ送信することができる。また、「紙」の付帯情報は、例えば、第二の出力処理に対して、紙プリンタへ送出するよう設定することで可能である。この設定により、第二の出力処理の対象となる出力画像データ（＝差分画像データ）を紙プリンタへ送信することができる。
【００１９】
尚、本実施形態においては、出力処理装置２０が、フィルムプリンタおよび紙プリンタの両方の機能を有するため、上述したどちらの設定方法であっても、出力画像データと一緒に付帯情報を出力処理装置２０は受信する必要がある。以上に示すように、出力画像データに付与した付帯情報を参照することで、出力処理装置２０において、出力画像データに応じた出力メディアの種類を特定して出力することができる。
【００２０】
次に、出力処理装置２０の機能の概略構成について説明する。２１は、制御部であり、出力処理装置２０内の各処理部の動作やデータの流れなどの制御を行う。２２は、送受信処理部であり、上述した画像処理装置１０と種々のデータを送受信する。
【００２１】
２３は、画像情報保存部であり、第一の画像情報保存部２３ａおよび第二の画像情報保存部２３ｂを具備する。第一の画像情報保存部２３ａは、送受信処理部２２が画像処理装置１０より受信した第一の出力処理に対応する出力画像データ（Ｘ線画像データ）に対して、同一被験者の複数出力画像データを受信し終えるまで（または第一のメディア出力処理を終えるまで）、一時的に現在画像データを保存する。また、第二の画像情報保存部２３ｂは、第二の出力処理に対応する出力画像データ（差分画像データ）に対して、送受信処理部２２が同一被験者の複数出力画像データを受信し終えるまで（または第二のメディア出力処理を終えるまで）一時的に差分画像データを保存する。尚、上述した第一の画像情報保存部２３ａおよび第二の画像情報保存部２３ｂにおける画像データの一時保存に対する制御の具体例については後述する。
【００２２】
２４は、画像種別判定処理部であり、送受信処理部２２が画像処理装置１０より受信したＸ線画像データや差分画像データに付与された出力メディアに関する付帯情報を基に、行うべき出力処理の種類を判定する。具体的には、画像種別判定処理部２４は、付帯情報の「フィルム」または「紙」を基に、フィルム出力処理を行うか紙出力処理を行うかを判定する。すなわち、画像種別判定処理部２４は、上述した第一の出力処理に対応する第一のメディア出力処理（フィルム出力処理）を行うか、上述した第二の出力処理に対応する第二のメディア出力処理（紙出力処理）を行うかを判定する。
【００２３】
尚、画像種別判定処理部２４における判定は、本実施形態では、出力画像データの付帯情報に記された、出力すべき出力メディアの種別を基にした判定であるが、この限りではなく、情報の内容の種別（例えば画像データと文字データ）を基にした判定など、出力メディアの選択の判断に用いて有効な情報を基に判定を行って好適である。更に、本実施形態では、「フィルム」及び「紙」が出力メディアの種別として付帯情報に入っているが、この限りではなく、Ｘ線画像や差分画像を利用者が視認することが可能な他の種類の出力メディアであってもよい。
【００２４】
２５は、フィルム出力処理部であり、画像種別判定処理部２４がフィルム出力処理を行うと判定した場合に、出力画像データを基にフィルムにＸ線画像を印刷するフィルム出力処理を行う。すなわち、画像種別判定処理部２４が第一のメディア出力処理を行うと判定した場合に、フィルム出力処理部２５は、第一のメディア出力処理を行う。
【００２５】
２６は、紙出力処理部であり、画像種別判定処理部２４が紙出力処理を行うと判定した場合に、出力画像データを基に紙に差分画像を印刷する紙出力処理を行う。すなわち、画像種別判定処理部２４が第二のメディア出力処理を行うと判定した場合に、紙出力処理部２６は、第二のメディア出力処理を行う。
【００２６】
２７は、出力調停処理部であり、フィルム出力処理部２５と紙出力処理部２６の出力の調停を行う。すなわち、出力調停処理部２７は、第一のメディア出力処理と第二のメディア出力処理の調停を行う。具体的には、出力調停処理部２７は、付帯情報に含まれる出力条件（例えば、フィルムおよび紙別や各種画像データ別の出力順など）に応じてフィルム出力処理部２５および紙出力処理部２６を制御する。２８は、トレイ制御部であり、フィルム出力処理部２５の出力するフィルムと紙出力処理部２６が出力する紙を同一の排紙トレイに排出するよう制御する。
【００２７】
ここで、上述した画像情報保存部２３および出力調停処理部２７が連動して被験者単位で出力処理する動作について説明する。尚、出力処理装置２０が、複数の被験者別に複数の出力画像データを画像処理装置１０より受信している場合を想定する。上述したように本実施形態では、同一被験者の複数の出力画像データを受信し終えるまで、第一のメディア出力処理の対象となる出力画像データは第一の画像情報保存部２３ａに保存し、第二のメディア出力処理の対象となる出力画像データは第二の画像情報保存部２３ｂに保存する。
【００２８】
また、同一被験者に関する全ての複数の出力画像データを保存し終えた（＝受信し終えた）場合に、制御部２１は、出力調停処理部２７に対して保存し終えた複数の出力画像データに対する出力処理の開始通知を行う。これにより、フィルム出力処理部２５または紙出力処理部２６がメディア出力権を得て、フィルムや紙によるメディア出力処理を行う。全ての複数の出力画像データに対して、メディア出力を終えた後に、制御部２１は、出力調停処理部２７に対して終了通知を行う。制御部２１が開始通知を行ったときに、他の被験者に関する複数の出力画像データに対するメディア出力処理がメディア出力権を得ている間は、そのメディア出力権の終了通知を得るまで、開始通知を行うことを保留する。
【００２９】
本実施形態の画像処理装置１０は、撮影画像としては胸部正面、胸部側面の２枚が有り、さらに差分画像も胸部正面、胸部側面の２枚が有るので、合計４枚の出力画像データを、非同期に送信準備が出来たものから出力処理装置２０へ送信する。この時、出力処理装置２０が撮影画像として胸部正面、胸部側面の２枚の出力画像データを受信する間に、例えば胸部正面の差分画像データを受信する事がある。このような場合、従来であれば、同一被験者のＸ線画像という一連の画像グループにおいて、胸部正面のＸ線画像のフィルムと、胸部側面のＸ線画像のフィルムとの間に、胸部正面の差分画像の紙が出力されてしまい、メディア整理の上で都合が悪かった。しかし、本実施形態においては、上述したように、出力調停処理部２７がフィルム出力処理と紙出力処理を制御するので、同一被験者の一連の画像グループにおいて、フィルムと紙をそれぞれまとめて出力することができる。この時、トレイ制御部２８の制御により、同一トレイにフィルムおよび紙がそれぞれまとめて排出される（以下、第一の出力順序とする）。
【００３０】
図４は、上述した第１の出力順序でフィルムと紙をそれぞれまとめて同一トレイに出力した場合の出力状態例を示す図である。尚、図４は、被験者Ａと被験者Ｂに対して胸部正面および胸部側面のＸ線撮影を行い、被験者Ａの方が先に出力画像データの送信が終了した場合に、出力される出力メディアおよび画像の種類の順番を示している。図４に示すように、一枚目に、被験者Ａの胸部正面をＸ線撮影した画像のフィルムＦＦ−Ａが排出される。二枚目に、被験者Ａの胸部側面をＸ線撮影した画像のフィルムＦＳ−Ａが排出される。三枚目に、被験者Ａの胸部正面の差分画像である紙ＰＦ−Ａが排出される。四枚目に、被験者Ａの胸部側面の差分画像である紙ＰＳ−Ａが排出される。以上で被験者Ａに関する画像の出力が終わる。その後、五枚目に、被験者ＢをＸ線撮影した胸部正面の画像のフィルムＦＦ−Ｂが排出され、六枚目に、胸部側面の画像のフィルムＦＳ−Ｂが排出され、七枚目に、胸部正面の差分画像の紙ＰＦ−Ｂが排出され、八枚目に、胸部側面の差分画像の紙ＰＳ−Ｂが排出される。以上の出力順序により、被験者単位で紙とフィルムのセットを取り出しやすいという利点がある。
【００３１】
また、出力メディアの出力順序は、上述した第一の出力順序の限りではなく、例えば以下に示すような出力順序（以下、第二の出力順序とする）でもよい。尚、本実施形態においては、利用者が所望の出力順序（第一の出力順序または第二の出力順序）を選択できるとする。第二の出力順序は、予め指定された撮影部位（または画像の種類）の順番で、出力調停処理部２７がフィルム出力処理部２５と紙出力処理部２６に一枚ずつ交互に出力許可を与えることで、実現する出力順序である。本実施形態では、胸部正面の画像のフィルムが出力された次に胸部正面の差分画像の紙が出力され、胸部側面の画像のフィルムが出力された次に胸部側面の差分画像の紙が出力される。
【００３２】
図５は、上述した第二の出力順序でフィルムと紙を同一トレイに出力した場合の出力状態例を示す図である。尚、図５は、図４と同様に被験者Ａと被験者Ｂに対して胸部正面および胸部側面のＸ線撮影を行い、被験者Ａの方が先に出力画像データの送信が終了した場合に、出力される出力メディアおよび画像の種類の順番を示している。図５に示すように、一枚目に、被験者Ａの胸部正面をＸ線撮影した画像のフィルムＦＦ−Ａが排出される。二枚目に、被験者Ａの胸部正面の差分画像である紙ＰＦ−Ａが排出される。三枚目に、被験者Ａの胸部側面をＸ線撮影した画像のフィルムＦＳ−Ａが排出される。四枚目に、被験者Ａの胸部側面の差分画像である紙ＰＳ−Ａが排出される。その後、五枚目に、被験者ＢをＸ線撮影した胸部正面の画像のフィルムＦＦ−Ｂが排出され、六枚目に、胸部正面の差分画像の紙ＰＦ−Ｂが排出され、七枚目に、胸部側面の画像のフィルムＦＳ−Ｂが排出され、八枚目に、胸部側面の差分画像の紙ＰＳ−Ｂが排出される。以上により、一般に、フィルム同士は静電気で張り付くことなどがあるが、この出力モードでは、同一部位が、フィルムと紙とでペアの状態となるよう出力される為、フィルム間の静電気も発生せずに、整理しやすいという利点がある。
【００３３】
次に、図１に示した画像処理システムの動作について説明する。まず、画像処理システムの具備する画像処理装置１０の画像処理の動作について説明する。
図２は、図１に示した画像処理システムの画像処理装置における画像処理の動作を示す図である。図２において、３０は、現在画像データであり、Ｘ線画像撮影処理部１３が撮影したＸ線画像データである。３１は、過去画像データであり、現在画像データ３０と同一被験者の過去に撮影した同一種類のＸ線画像データである。尚、過去画像データ３１は、画像情報データベース１２より参照する。また、以下の説明における具体例として現在画像データ３０および過去画像データ３１は、同一被験者の胸部正面と胸部側面のＸ線画像データであるとする。
【００３４】
ステップＳ１において、Ｘ線画像撮影処理部１３が撮影した例えば被験者の胸部正面と胸部側面の２つの現在画像データ３０に対して、出力処理部１６が、上述した第一の出力処理を行う。これにより、送受信処理部１５は、出力処理装置２０へ出力メディアを「フィルム」に指定する付帯情報を付与した現在画像データ３０を送信する。また、この時の出力処理装置２０におけるフィルム出力処理については後述する。
【００３５】
次に、ステップＳ２において、差分画像処理部１４は、同一被験者の同一種別の現在画像データと過去画像データの差分処理により差分画像データを生成し、更に縮小処理を行う。これにより、被験者が健康であった前回（過去画像データを撮影した時点）とくらべて現在画像データの中に病等により病変した部分（病変部）が有る場合に、差分画像データには、その病変部がより明確に示される。また、本実施形態では、胸部正面の現在画像データ３０に対して、該当被験者の過去の画像データにおいて最近の胸部正面の過去画像データ３１との減算処理を行い、胸部側面の現在画像データ３０も同様に、該当被験者における最近の胸部側面の過去画像データ３１との減算処理を行う。
【００３６】
次に、ステップＳ３において、出力処理部１６は、差分画像処理部１４の生成した縮小後の差分画像データに対して第二の出力処理を行う。これにより、送受信処理部１５は、出力処理装置２０へ出力メディアを「紙」に指定する付帯情報を付与した差分画像データを送信する。また、この時の出力処理装置２０における紙出力処理については後述する。
【００３７】
以上に示すように、本実施形態における画像処理システムよれば、撮影した現在画像データに対して第一のメディア出力処理（フィルム出力）を行い、差分画像データに対して第二のメディア出力処理（紙出力）を行うことができる。すなわち、高解像度の現在画像データに対して、高解像度に対応可能で高価な出力メディアであるフィルムによる出力処理を行うことができ、更に、低解像度である差分画像データに対して、低解像度にのみ対応可能で安価な出力メディアである紙による出力処理を行うことができる。これにより、撮影した画像データ（上述の現在画像データ）やその画像データに関連する関連情報（例えば、上述の差分画像データ）を、画像データや関連情報の属性（例えば、解像度）に応じた出力メディア（例えば、フィルムや紙）で出力する際に出力メディアのコストを抑えることができる。
【００３８】
尚、本実施形態においては第一の出力処理も、第二の出力処理も、送出先は同一の出力処理装置２０であるが、この限りではなく、第一の出力処理を行うフィルムプリンタと第二の出力処理を行う紙プリンタが別々に存在する構成であってもよい。これにより、画像処理装置からの制御により複数種類の出力処理装置で複数種類の出力メディアによる出力処理する際は、上述した付帯情報に含まれる出力メディアの種別を利用すれば、どの出力処理装置に送出すればよいか決定できる。
【００３９】
次に、図１に示した画像処理システムの出力処理装置２０における出力処理の動作について説明する。
図３は、画像処理システムの出力処理装置２０における出力処理の動作を示す図である。図３に示すように、まず、ステップＳ１１において、送受信処理部２２が、画像処理装置１０からの付帯情報の付与された出力画像データを受信する。また、図３の説明において付帯情報とは出力メディアを指定する「フィルム」または「紙」などの情報と、被験者に関する情報と、出力条件に関する情報とを含む情報であり、出力画像データとは胸部正面、胸部側面の現在画像データまたは差分画像データである。
【００４０】
次に、ステップＳ１２において、画像種別判定処理部２４は、画像種別判定処理部２４は、出力画像データに付加された付帯情報を基に、フィルム出力処理を行うか紙出力処理を行うかを判定する。ここで、付帯情報で指定される出力メディアが「フィルム」である場合（ステップＳ１２のフィルム）には、ステップＳ１３に進み、フィルム出力処理部２５は、Ｘ線画像データを基にフィルムにＸ線画像を印刷するフィルム出力処理（第一のメディア出力処理）を行う。また、付帯情報で指定される出力メディアが「紙」である場合（ステップＳ１２の紙）には、ステップＳ１４に進み、紙出力処理部２６は、差分画像データを基に紙に差分画像を印刷する紙出力処理（第二のメディア出力処理）を行う。
【００４１】
但し、上述したステップＳ１３およびステップＳ１４の処理タイミングは、上述したように出力調停処理部２７によって被験者別や画像データの種類別に調停される。また、その場合に、出力処理を待機するため、第一の画像情報保存部２３ａや第二の画像情報保存部２３ｂに一時的に画像データを保存する。以上により、ステップＳ１３のフィルム出力処理によりＸ線画像のフィルムＦが出力される。また、ステップＳ１４の紙出力処理により差分画像の紙Ｐが出力される。次に、ステップＳ１５において、トレイ制御部２８は、例えば図４や図５に示す順序でフィルムＦおよび紙Ｐを一緒のトレイに排出する。
【００４２】
尚、上述した本実施形態では、紙Ｐに出力する現在画像の関連情報として差分画像を例に述べたが、この限りではなく、例えば、被験者に関するカルテ情報などの文字、記号を含む情報であっても同様の利便性を得る事が可能である。また、上述した画像処理装置１０は、Ｘ線画像撮影処理部１３よりＸ線画像の画像データを得ていたが、この限りではなく、Ｘ線画像撮影の機能を備えずに、ネットワークや記録媒体などを介して撮影済みのＸ線画像の画像データが入力される形態であってもよい。以上により、本実施形態の画像処理システムは、Ｘ線撮影画像とそのＸ線撮影画像に関連する関連情報（差分画像、カルテ情報など）を複数種類の出力メディアで出力することで出力メディアのコストを抑えることができる。
【００４３】
［第２の実施形態］
次に、本発明の第２の実施形態として、第１の実施形態における図１に示した出力処理装置２０の出力調停処理部２７の機能を、画像処理装置１０の方に具備して、出力処理部１６を制御するよう構成した場合の実施形態について説明する。
【００４４】
図６は、本発明の第２の実施形態である画像処理システムの概略構成を示す図である。図６に示すように、第２の実施形態における画像処理システムは、画像処理装置１０ａおよび出力処理装置２０ａから構成されている。尚、画像処理装置１０ａおよび出力処理装置２０ａの具備する各機能ブロックにおいて、図１に示した画像処理装置１０および出力処理装置２０の具備する各機能ブロックと同じ符号のものは、同様の機能を有するものであるので、説明を省略する。また、図６に示す本実施形態の画像処理システムにおいて、図１に示した出力処理装置２０の具備する画像情報保存部２３と出力調停処理部２７の機能を、画像処理装置１０ａが具備する（画像情報保存部１９と出力調停処理部１８）点が第１の実施形態と主に異なる構成である。これにより、出力処理装置２０ａは、図１に示した出力処理装置２０と比べて出力調停処理部２７および画像情報保存部２３を具備しない構成である。
【００４５】
ここで、上述した画像情報保存部１９および出力調停処理部１８の機能ついて説明する。画像情報保存部１９は、第一の画像情報保存部１９ａおよび第二の画像情報保存部１９ｂを具備する。第一の画像情報保存部１９ａは、第一の出力処理に対応する出力画像データ（Ｘ線画像データ）に対して、同一被験者の複数出力画像データに対して第一の出力処理を終えるまで、一時的に現在画像データを保存する。また、第二の画像情報保存部１９ｂは、第二の出力処理に対応する出力画像データ（差分画像データ）に対して、同一被験者の複数出力画像データに対する第二の出力処理を終えるまで一時的に差分画像データを保存する。
【００４６】
また、出力調停処理部１８は、出力条件設定処理部１７により設定された出力条件（例えば、フィルムおよび紙別や各種画像データ別の出力順など）や被験者識別情報に応じて出力処理部１６における第一の出力処理および第二の出力処理を制御する。
【００４７】
次に、図６に示した画像処理システムの動作について説明する。
図７は、図６に示した画像処理システムの動作を示す図である。尚、図７においてステップＳ２は図２に示したステップＳ２と同様の処理なので説明を簡単にする。図７に示すように、ステップＳ１ａにて、Ｘ線画像撮影処理部１３が撮影した例えば被験者の胸部正面と胸部側面の２つの現在画像データ３０に対して、出力処理部１６が、上述した第一の出力処理を行う。次に、ステップＳ２において、差分画像処理部１４は、同一被験者の同一種別の現在画像データと過去画像データの差分処理により差分画像データを生成し、更に縮小処理を行う。次に、ステップＳ３ａにおいて、出力処理部１６は、差分画像処理部１４の生成した縮小後の差分画像データに対して第二の出力処理を行う。
【００４８】
ここで、上述したステップＳ１ａおよびステップＳ３ａの処理タイミングは、上述したように出力調停処理部１８によって被験者別や画像データの種類別に調停される。この時、出力調停処理部１８は、第一の画像情報保存部１９ａおよび第二の画像情報保存部１９ｂに処理を待機中の画像データを保存するよう制御する。これにより、送受信処理部１５は、同一被験者における第一の出力処理に対応する出力指示および付帯情報および現在画像データを出力処理装置２０ａへ送信した後に、同一被験者における第二の出力処理に対応する出力指示および付帯情報および差分画像データを出力処理装置２０ａへ送信する。
【００４９】
上述したように、出力調停処理部１８がフィルム出力処理の指示と紙出力処理の指示を出力処理装置２０ａへ送信するタイミングを制御するので、同一被験者の一連の画像グループにおいて、フィルムと紙をそれぞれまとめて出力するよう出力処理装置２０ａに指示することができる。
【００５０】
以上に示すように、本実施形態における画像処理システムにおいては、画像処理装置１０ａが出力調停処理部１８を具備するので、特定の出力処理装置によらないで第１の実施形態と同様の効果を得ることが出来る。すなわち、出力処理装置２０ａの機能構成は、第１の実施形態で示した出力処理装置２０のように出力調停処理の機能が不要となる為、出力処理機能を有する一般的な出力処理装置を利用して、第１の実施形態と同様の効果を得る画像処理システムを構築することができる。
【００５１】
ここで、出力処理装置２０ａの動作について説明する。図８は、図６に示した出力処理装置２０ａの動作を示す図である。図８に示すように、出力処理装置２０ａにおけるステップＳ１１〜Ｓ１５までの処理内容は、図３に示す処理内容と同様である。しかし、図８の処理においては、図３と比べてステップＳ１３およびステップＳ１４の処理タイミングを調整する機能および動作が省かれている。すなわち、出力処理装置２０ａは、画像処理装置１０ａからの出力指示を順次図８のフローで処理する。また、上述した出力処理装置２０ａは、フィルム出力と紙出力の両方に対応しているが、この限りではなく、フィルム出力および紙出力を別々の装置で行ってもよい。
【００５２】
また、本実施形態の画像処理システムは、第１の実施形態と同様に、予め指定された被験者の撮影部位の順番で、出力調停処理が一枚ずつ交互に出力許可を与える処理もできる。以上により、従来は同一の出力メディアでしか整理できなかった撮影画像と画像処理画像（差分画像）が、異なる出力メディアを用いて整理できるようになる。この為、出力する画像に応じて出力メディアを変更することで出力メディアに要するコストを抑えることが可能となる。
更に、異なる出力メディアであっても、同一の排紙トレイに出力され、かつ、撮影画像と画像処理画像が、被験者単位で交互に出力されるほか、撮影部位単位のペアで出力されるなど、利用者が、画像を整理することが容易となるという効果が得られる。
【００５３】
［第３の実施形態］
次に、本発明の第３の実施形態として、撮影画像に差分画像を重ねて一枚の出力メディアで出力する画像処理システムについて説明する。
図９は、本発明の第３の実施形態における画像処理システムを示す図である。図９に示すように、本実施形態における画像処理システムは画像処理装置１０ｂと出力処理装置２０ｂとを具備する構成である。また、図９は、画像処理装置１０ｂおよび出力処理装置２０ｂの主な機能構成についても示す図である。尚、図９において図１と同じ符号を付与したものは同様の機能を有するものであり説明を省略する。
【００５４】
まず、画像処理装置１０ｂの機能構成について説明する。１Ａは、変倍判断処理部であり、Ｘ線画像撮影処理部１３が撮影したＸ線画像データや差分画像処理部１４が生成した差分画像データに対して、画像サイズの拡大／縮小処理（以下、変倍処理とする）を行うか否かを判断する。１Ｂは、変倍処理部であり、変倍判断処理部１Ａで変倍処理を行うと判断した場合に、その画像データに対して出力メディアのサイズや、他の画像データと合成する場合は、他の画像データのサイズや合成後の配置などを考慮した倍率で変倍処理を行う。
【００５５】
１Ｃは、配置処理であり、変倍処理１Ｂが変倍した画像データまたは変倍しなかった画像データを組み合わせて１枚の出力メディアに収まるよう配置して合成し、合成後画像データを出力する。１Ｄは、出力処理部であり、配置処理部１Ｃの出力する合成後画像データと、所定の出力メディアによりその合成後画像データを出力するよう出力処理装置２０ｂへ指示する付帯情報とを、出力処理装置２０ｂへ送受信処理部１５を介して送信する。以上に示した構成により、画像処理装置１０ｂは、例えば撮影画像に縮小した差分画像を重ねた合成後画像データを生成し、出力処理装置２０ｂへ送信することができる。
【００５６】
次に、出力処理装置２０ｂの機能構成について説明する。図９において、２Ａは、出力処理部であり、画像処理装置１０ｂからの印刷指示に応じてフィルム出力および紙出力を行うことができる。以上に示すように、本実施形態における画像処理システムは、例えば撮影画像に縮小した差分画像を重ねた合成画像を一枚の出力メディアで出力することができる。これにより、２枚のフィルムに別々に撮影画像と差分画像を出力していた従来と比べて出力メディアを節約することができる。
【００５７】
以下に、上述した画像処理システムの動作について説明する。また、上述した変倍判断処理部１Ａ、変倍処理部１Ｂ配置処理部１Ｃ、出力処理部１Ｄの具体的な処理例についても説明する。図１０は、図９に示した画像処理システムの動作を示す図である。尚、図１０においてステップＳ２における差分画像処理は、図２に示したステップＳ２の処理と同様の処理である。すなわち、図１０のステップＳ２において、Ｘ線画像撮影処理部１３で撮影した現在画像データ３０と、画像情報データベース１２より参照する同一被験者の同一種別の過去画像データ３１との差分を求める処理である。
【００５８】
まず、ステップＳ２１において、変倍判断処理部１Ａは、Ｘ線画像撮影処理部１３が出力する現在画像データ３０に対して、変倍処理を施すか否かの判定を行う。ここで、変倍判断処理部１Ａが変倍処理を施すと判断した場合（ステップＳ２１のＹｅｓ）には、ステップＳ２２に進み、変倍処理部１Ｂが、現在画像データ３０に対して変倍処理を行う（以下、第１の変倍処理とする）。この変倍処理を終えたらステップＳ２５に進む。また、変倍判断処理部１Ａが変倍処理を施さないと判断した場合（ステップＳ２１のＮｏ）には、ステップＳ２５へ進む。
【００５９】
尚、本実施形態では、現在画像データ３０をフィルムまたは紙に出力する事ができるので、変倍判断処理部１Ａは、出力メディアの種別により、変倍処理を行うか否かを判定する。具体的には、出力メディアがフィルムの場合では、現在画像データ３０を実際の人間の臓器や骨などと等倍サイズ（ライフサイズ）であることが好ましく、変倍処理（拡大処理）を行う必要がある。また、出力メディアが紙の場合では、等倍サイズである必要は無いので、現在画像データ３０に対して変倍処理を行う必要は無い。
【００６０】
以上に示すように、変倍判断処理部１Ａは、出力メディアの種別が「フィルム」であれば、等倍サイズである必要があるので、変倍処理を行うと判定する。また、変倍判断処理部１Ａは、出力メディアの種別が「紙」であれば、等倍サイズである必要はないので、変倍処理を行わないと判定する。尚、出力メディアの種別と変倍処理に対する判定の対応は、例えば出力条件設定処理部１７により設定することができる。また、
【００６１】
尚、変倍判断処理部１Ａが変倍処理の判定に用いるのは、上述したような出力メディアの種別に限らず、現在画像と差分画像の重なり具合などを考慮して判定してもよい。
【００６２】
また、ステップＳ２３において、変倍判断処理部１Ａは、差分画像データに対して、変倍処理を施すか否かの判定を行う。ここで、変倍判断処理部１Ａが変倍処理を施すと判断した場合（ステップＳ２３のＹｅｓ）には、ステップＳ２４に進み、変倍処理部１Ｂが、差分画像データに対して変倍処理を行う（以下、第二の変倍処理とする）。この第二の変倍処理を終えたらステップＳ２５に進む。また、変倍判断処理部１Ａが変倍処理を施さないと判断した場合（ステップＳ２３のＮｏ）には、ステップＳ２５へ進む。
【００６３】
尚、本実施形態では、差分画像の出力領域としては、後述する図１１および図１２に示すように、フィルム上の一部に限定されていて、しかも、その大きさの上限も限定されている。これは、差分画像があまりに大きい領域を占めると、現在画像が隠れてしまい、診断が出来なくなるからである。また、差分画像を縮小する理由としては、差分画像は診断時の参考程度に利用される事が多く、解像度も細かい必要が無い為、現在画像と比較し小さく表示してもよいからである。
【００６４】
以上の理由により、ステップＳ２３において、変倍判断処理部１Ａは、差分画像データが、上限以内のサイズであれば、縮小処理を施さないと判断し、上限以上のサイズであれば、上限サイズにあてはまるように縮小処理を施すと判断する。そして、変倍判断処理部１Ａが縮小処理を施すと判断した場合は、ステップＳ２４において、変倍処理部１Ｂが差分画像データに縮小処理を施す。
【００６５】
以下、具体例を示して更に説明する。例えば、フィルムのピクセルサイズが横４０９６画素、縦５１２０画素（ただし、１画素８０μｍ角）であり、上限限定サイズは、横５１２画素、縦５１２画素であるとする。そして、胸部正面の現在画像データ３０および過去画像データ３１は、被写体の大きさにより異なるが、およそ横２０００前後、縦２５００前後の画素数（ただし、１画素１６０μｍ角）であり、その差分画像データも同じ画素数となる。従って、胸部正面の差分画像データは、縮小処理を行わないと上限サイズを超えてしまうので、変倍処理部１Ｂは、縦横の長い辺を縦５１２画素または横５１２画素のいずれかに合わせて縦横の比率を維持した縮小処理を行う。しかし、後述するように、乳幼児などでは、縮小が不要となる場合もある。
【００６６】
尚、ステップＳ２１〜Ｓ２２の処理と、ステップＳ２〜Ｓ２３〜Ｓ２４の処理は、並行して同時に行っても良く、各処理を交互に行っても良く、２つの処理は任意のタイミングで開始してよい。
【００６７】
次に、ステップＳ２５において、配置処理部１Ｃが、複数種類の画像を所定の位置に配置する配置処理を行い、合成後画像データを生成する。すなわち、上述の手順で処理された現在画像データと差分画像データを用いて配置処理部１Ｃは、所定の出力メディアに２つの現在画像および差分画像が収まるように（但し、２つの画像ができるだけ重ならないよう）配置して合成した合成後画像データを出力する。具体的には、配置処理部１Ｃは、撮影部位情報（撮影種別）に基づき現在画像と差分画像を所定の位置に配置する。次に、ステップＳ２６において、出力処理部１Ｄは、送受信処理部１５を介して出力処理装置２０ｂに合成後画像を出力するよう指示する。
【００６８】
ここで、上述した配置処理部１Ｃにおける配置処理や変倍処理部１Ｂの変倍処理について更に説明する。画像処理装置１０ｂは、例えば、以下の表に示すように撮影種別に応じて、フィルムサイズの特定や、現在画像および差分画像の配置や、差分画像のサイズ制御を行う。
【表１】
2004341915.tif 000003
【００６９】
上述した表に示すように、配置処理部１Ｃは、撮影画像の種別に応じて各種画像の配置を変更する。例えば、胸部正面の撮影画像では、配置処理部１Ｃは、診断上の情報が最も少ない腹部、すなわち、現在画像の中央下部に差分画像を配置する。更に、重なり部分を少なくするため、配置処理部１Ｃは、上下方向にフィルム余白領域がある場合、図１１に示すように現在画像を中央上詰めで配置して、差分画像を中央下詰めで配置する。図１１は、胸部正面を撮影した現在画像と差分画像を合成して同一のフィルムへ出力した例を示す図である。以上により、両者の画像が重なる部分がある場合でも、その重なる量は最小限に抑えることができる。
【００７０】
また、胸部側面の撮影画像では、配置処理部１Ｃは、診断上の情報が最も少ない背面側、すなわち、現在画像の右上に差分画像を配置する。更に、重なり部分を少なくするため、配置処理部１Ｃは、左右方向にフィルム余白領域がある場合、図１２に示すように現在画像を上左詰めで配置して、差分画像を上右詰めで配置する（但し、図１２は紙に出力した例を示しているが配置方法はフィルムに出力する場合でも同様である）。尚、図１２については、後述する。
【００７１】
以上により、両者の画像が重なる部分がある場合でも、その重なる量は最小限に抑えることができる。尚、表に示すように、変倍処理部１Ｂは、フィルム（出力メディア）のサイズおよび現在画像および差分画像のサイズと配置を考慮して両画像のオーバレイ（重なり部分）がある場合と、オーバレイが無い場合とで差分画像の上限サイズを制御している。すなわち、配置後の現在画像および差分画像のオーバレイが生じる場合には、変倍処理部１Ｂは、差分画像の上限サイズを横５１２画素、縦５１２画素（但し、１画素８０μｍ角）として変倍処理を行う。また、配置後の現在画像および差分画像のオーバレイが生じない場合には、変倍処理部１Ｂは、差分画像の上限サイズをオーバレイが生じない最大サイズに設定して変倍処理を行う。また、表に示す撮影種別が小児胸部正面の場合の、配置処理部１Ｃおよび変倍処理部１Ｂの処理については、後述する。
【００７２】
上述した表を用いて配置処理部１Ｃの処理について具体例を説明する。例えば、フィルムのピクセルサイズが横４０９６画素、縦５１２０画素（ただし、１画素８０μｍ角）であり、図１１に示した胸部正面における現在画像データは、横２０４８画素、縦２５００画素（ただし、１画素１６０μｍ角）であるとする。ここで、フィルムへの現在画像の出力を等倍出力（ライフサイズ）とする場合に、現在画像データに比べてフィルムの画素サイズが２分の１であるので、変倍処理部１Ｂは、現在画像データに対して２倍の倍率で拡大処理を行い、横４０９６画素、縦５０００画素相当の現在画像データを生成する。これにより、フィルムにおいて縦方向の余白を計算すると、
５１２０−５０００＝１２０
となり、１２０画素の余白が出来ることが分かる。また、配置処理部１Ｃがフィルムに中央上詰めで現在画像を配置するので、フィルムの下側に縦方向に１２０画素分の余白ができる。また、差分画像データも横２０４８画素、縦２５００画素（ただし、１画素１６０μｍ角）であり、上限サイズは、横５１２画素、縦５１２画素であることから、変倍処理部１Ｂは、縮小処理を行う。尚、この上限サイズは、１２０画素の余白以上のサイズである為、本具体例においてこの上限サイズが緩和される事はない。また、縮小処理において、縦横比率を維持する為、差分画像データは縦が５１２画素、横４１９画素に縮小され、縮小された差分画像はフィルムに中央下詰めで配置される。
【００７３】
図１２は、胸部側面を撮影した現在画像と差分画像を合成して同一の紙へ出力した例を示す図である。ここで、出力処理装置２０ｂが紙出力する際のピクセルサイズは、横２０４８、縦２５６０画素（ただし、１画素５０μｍ角）とする。また、胸部側面の撮影画像における現在画像データは、横１８００画素、縦２５６０画素（ただし、１画素１６０μｍ角）であるとする。ここで、紙出力の場合は、等倍出力である必要は無く、現在画像データに変倍処理を行わないで配置する。これにより、紙において横方向の余白を計算すると、
２０４８−１８００＝２４８
となり、２４８画素の余白が出来ることが分かる。また、胸部側面の撮影画像であることから、配置処理部１Ｃが紙の上左詰めで現在画像を配置する。また、差分画像データも横１８００画素、縦２５６０画素（ただし、１画素１６０μｍ角）であり、紙出力の上限サイズは、横２５６画素、縦２５６画素であることから、変倍処理部１Ｂは、縮小処理を行う。尚、この上限サイズは、２４８画素の余白以上のサイズである為、本具体例においてこの上限サイズが緩和される事はない。また、縮小処理において、縦横比率を維持する為、縦が２５６画素、横２００画素に縮小され、図１２に示すように紙に上右詰めで配置される。
【００７４】
以上に示したように、図１１、図１２の両方の例とも、２つの画像のオーバレイ（重なり部分）は発生しているが、その重なりが最小となり、診断に影響が少なくなるような配置となっている。この為、従来では現在画像と差分画像の２枚のフィルム（または紙）が必要であったが、本実施形態では１枚のみで足りる。
【００７５】
次に、上述した図９の画像処理システムにおいて小児を撮影した場合の利点について従来例と対比して説明する。尚、上述した表に示した撮像種別が「小児胸部正面」の場合における、画像処理システムの動作であるとする。
図１３は、従来の小児のＸ線撮影における画像出力例を示す図である。また、図１４は、図９に示した画像処理システムにおいて小児のＸ線撮影における画像出力例を示す図である。図１３に示すように、従来、小児のＸ線撮影では、１１×１４インチ（２７．９４×３５．５６ｃｍ）の規格フィルムで撮影をする事が有る。この時、そのフィルムの画素数は、横３２１８画素、縦４０９６画素である（ただし、１画素８０μｍ角）。
【００７６】
また、図１４において、小児の撮影画像データは、およそ横方向が２５００画素、縦方向が４０９６画素である（ただし、１画素８０μｍ角）。また、上述した表および図１４に示すように、小児胸部正面撮影時に、配置処理部１Ｃは、１７×１４インチ（４３．１８×３５．５６ｃｍ）の規格フィルム（但し、横５１２０画素、縦４０９６画素で１画素８０μｍ角）に現在画像データと差分画像データを横に並べて配置する。上述したように、小児の撮影画像データはフィルムと１画素の画素サイズが同じなので、変倍処理部１Ｂによる倍率変換が不要である。また、配置処理部１Ｃは上述した表に示すように横置きのフィルムに現在画像データを左つめに配置する。これにより、フィルムの右側に
５１２０−２５００＝２６２０
と、２６２０画素の余白が出来る。この値は、上述した表に示した差分画像データの上限サイズの５１２画素を超えている。この為、上限サイズ内の差分画像であれば現在画像とはオーバレイが発生しない。従って、オーバレイが発生しなければ、上限サイズの制限は緩和され、変倍処理部１Ｂは、差分画像データに対してオーバレイが発生しない最大サイズとなるよう変倍処理を行う。図１４の例では、差分画像データも現在画像データと同じサイズの横２５００画素、縦４０９６画素として、差分画像データも変倍処理せずにフィルム右上詰めで配置できる。
【００７７】
以上に示すように、撮影種別が小児正面撮影の場合では、従来では１４×１１インチのフィルムが現在画像用と差分画像用に２枚必要とされていたが、本実施形態においては、１４×１７インチのフィルム一枚で両画像を出力することができるので、出力メディアに要するコストを削減することができる。尚、上述したように、撮影種別に応じて配置処理部１Ｃが出力メディアのサイズや印刷方向を決定してもよい。
【００７８】
また、上述した本発明の実施形態によれば、現在画像や過去画像や処理後画像（差分画像など）より２つ以上の画像を用いて、それらの画像のいずれか一つまたは複数を変倍処理し、一つの画像に他の画像を必要あればオーバレイして配置して所定の出力メディアに出力することができる。これにより、使用する出力メディア数を従来と比較して同等未満に収めることができるので、メディアコストを抑える事が可能となる。
【００７９】
具体的には、差分画像を縮小して現在画像とオーバレイが少なくなるように配置して一つの出力メディアで出力すれば、従来と比べて半分の出力メディアのコストとなる。また、本実施形態においては、出力メディアのサイズを適時選択できるので、例えば、小児胸部正面のＸ線画像であれば、従来は１１×１４インチのフィルムを２枚必要であったものが、１４×１７インチのフィルム１枚で出力することができる。
【００８０】
尚、以上に示した、第３の実施形態の画像処理システムによる現在画像と差分画像の合成処理と、第１の実施形態および第２の実施形態の画像処理システムによるフィルムおよび紙の出力順の制御処理とを組み合わせてもよい。これにより、例えば現在画像と差分画像の合成画像をフィルムで出力して、被験者に関する情報を紙で出力することができ、更なる出力メディアのコスト削減を実現することができる。
【００８１】
また、図１および図６および図９に示した各処理部は、専用のハードウェアにより実現されるものであってもよく、また、各処理部はメモリおよびＣＰＵにより構成され、各処理部の機能を実現する為のプログラムをメモリに読み込んで実行することによりその機能を実現させるものであってもよい。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ  Ａｃｃｅｓｓ  Ｍｅｍｏｒｙ）のような揮発性のメモリ、あるいはこれらの組み合わせによるコンピュータ読み取り、書き込み可能な記録媒体より構成されるものとする。
【００８２】
また、図１および図６および図９において各種処理を行う処理部の機能を実現する為のプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。
また、「コンピュータシステム」とは、ＷＷＷシステムを利用している場合であれば、ホームページ提供環境（あるいは表示環境）も含むものとする。
【００８３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発メモリ（ＲＡＭ）のように、一定時間プログラムを保持しているものも含むものとする。
【００８４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現する為のものであっても良い。さらに、前述した機能をコンピュータシステムに既に記録されているプログラムとの組み合わせで実現できるもの、いわゆる差分ファイル（差分プログラム）であっても良い。
【００８５】
また、上記のプログラムを記録したコンピュータ読み取り可能な記録媒体等のプログラムプロダクトも本発明の実施形態として適用することができる。上記のプログラム、記録媒体、伝送媒体およびプログラムプロダクトは、本発明の範疇に含まれる。
以上、この発明の実施形態について図面を参照して詳述してきたが、具体的な構成はこの実施形態に限られるものではなく、この発明の要旨を逸脱しない範囲の設計等も含まれる。
【００８６】
また、本発明の実施態様の例を以下に列挙する。
【００８７】
［実施態様１］  画像データを処理する画像処理装置と、種々の情報を複数種類の出力メディアに出力可能な出力処理装置とを具備する画像処理システムであって、
前記画像処理装置は、
前記画像データの種類に応じた出力メディアで前記画像データを出力するよう前記出力処理装置に指示する第１の出力処理と、前記画像データに関連する関連情報を当該関連情報の属性に応じた出力メディアで出力するよう前記出力処理装置に指示する第２の出力処理を行う出力処理手段を具備し、
前記出力処理装置は、
前記第１の出力処理および第２の出力処理の指示に応じた種類の出力メディアに前記画像データおよび前記関連情報を出力する出力手段を具備すること
を特徴とする画像処理システム。
【００８８】
［実施態様２］  前記画像データが第１の画像データであり、前記関連情報が前記第１の画像データを画像処理した第２の画像データである場合に、
前記画像処理装置において、前記出力処理手段は、前記第１の画像データに応じた第１の出力メディアを用いて前記第１の画像データを出力するよう前記出力処理装置へ指示する前記第１の出力処理と、前記第２の画像データに応じた第２の出力メディアを用いて前記第２の画像データを出力するよう前記出力処理装置へ指示する前記第２の出力処理とを行うことを特徴とする実施態様１に記載の画像処理システム。
【００８９】
［実施態様３］  前記画像処理装置において、前記出力処理手段は、前記第１の出力メディアを用いるよう前記出力処理装置へ指示する第１の付帯情報を前記第１の画像データに付与して前記出力処理装置へ送信する第１の出力処理と、前記第２の出力メディアを用いるよう前記出力処理装置へ指示する第２の付帯情報を前記第２の画像データに付与して前記出力処理装置へ送信する前記第２の出力処理とを行い、
前記出力処理装置は、前記第１の付帯情報および前記第２の付帯情報を基に前記第１の画像データおよび前記第２の画像データを出力する際の出力メディアの種類を判定する画像種別判定手段を更に具備し、
前記出力手段は、前記画像種別判定手段の判定に応じた出力メディアを用いて前記第１の画像データおよび第２の画像データを出力すること
を特徴とする実施態様２に記載の画像処理システム。
【００９０】
［実施態様４］  前記第１の画像データは前記第２の画像データと比べて、データ量がより大きいまたは解像度がより高いものであり、
前記第１の出力メディアはフィルムであり、前記第２の出力メディアは紙であることを特徴とする実施態様２または実施態様３に記載の画像処理システム。
【００９１】
［実施態様５］  前記画像処理装置は、被写体を撮影して前記画像データ生成する撮影手段と、前記撮影手段の生成した前記画像データに対して画像処理を施して処理後画像データを生成する画像処理手段とを更に具備し、
前記第１の画像データは、前記撮影手段が撮影して生成した画像データであり、前記第２の画像データは、前記画像処理手段が生成した前記処理後画像データであることを特徴とする実施態様４に記載の画像処理システム。
【００９２】
［実施態様６］  前記出力処理装置は、前記第１の出力メディアと前記第２の出力メディアを同一排出トレイへ排出するトレイ制御手段を更に具備することを特徴とする実施態様２から実施態様５のいずれか１つに記載の画像処理システム。
【００９３】
［実施態様７］  前記第１の画像データおよび第２の画像データが特定のグループに属することを示すグループ属性を有する場合に、前記出力処理装置は、
前記第１の画像データを一時的に保存する第１の画像情報保存手段と、
前記第２の画像データを一時的に保存する第２の画像情報保存手段と、
前記第１の画像データおよび第２の画像データの有する前記グループ属性を基に、前記グループ属性別に前記第１の画像情報保存手段より前記第１の画像データを読み出して出力処理し、前記第２の画像情報保存手段より前記第２の画像データを読み出して出力処理するよう前記出力手段を制御する出力調停手段と
を更に具備することを特徴とする実施態様２に記載の画像処理システム。
【００９４】
［実施態様８］  前記出力処理装置において、前記出力調停手段は、同一のグループ属性を有する前記第１の画像データの出力処理を終えてから前記第２の画像データの出力処理を行うよう前記出力手段を制御することを特徴とする実施態様７に記載の画像処理システム。
【００９５】
［実施態様９］  前記グループ属性が同一である前記第１の画像データおよび前記第２の画像データにおいて画像内容の種類を特定する画像種別が複数ある場合に、前記出力処理装置において、前記出力調停手段は、同一のグループ属性を有する前記第１の画像データと前記第２の画像データを前記画像種別ごとに交互に出力処理を行うよう前記出力手段を制御することを特徴とする実施態様７に記載の画像処理システム。
【００９６】
［実施態様１０］  複数種類の画像データを処理する画像処理装置と、前記画像処理装置が処理した画像データを出力メディアに出力する出力処理装置とを具備する画像処理システムであって、
前記画像処理装置は、
前記画像データの種類に応じて各画像データの拡大縮小を行う変倍手段と、
前記変倍手段が拡大縮小した複数の前記画像データを所定の位置に配置して合成することで合成後画像データを生成する配置手段と、
前記配置手段が生成した前記合成後画像データを出力するよう前記出力処理装置に指示する出力処理手段と
を具備し、
前記出力処理装置は、
前記指示に応じて前記合成後画像データを出力する出力手段を具備すること
を特徴とする画像処理システム。
【００９７】
［実施態様１１］  前記配置手段は、前記複数の画像データの重なり部分が最小となるよう配置することを特徴とする実施態様１０に記載の画像処理システム。
【００９８】
［実施態様１２］  前記変倍手段は、前記画像データの重なりにおいて上となる画像データの変倍処理の倍率を、前記画像データの重なりにおいて下となる画像データの変倍処理の倍率よりも大きくすることを特徴とする実施態様１０または実施態様１１に記載の画像処理システム。
【００９９】
［実施態様１３］  第１の画像データおよび第２の画像データを基に第３の画像データを生成する画像処理装置と、前記画像処理装置が生成した前記第３の画像データを出力メディアに出力する出力処理装置とを具備する画像処理システムであって、
前記画像処理装置は、
前記第１の画像データおよび前記第２の画像データの属性に応じて、前記第１の画像データおよび前記第２の画像データに拡大縮小を行う変倍手段と、
前記変倍手段が拡大縮小した前記第１の画像データおよび前記第２の画像データを所定の位置に配置して合成することで前記第３の画像データを生成する配置手段と、
前記配置手段が生成した前記第３の画像データを出力するよう前記出力処理装置に指示する出力処理手段と
を具備し、
前記出力処理装置は、
前記指示に応じて前記第３の画像データを出力する出力手段を具備すること
を特徴とする画像処理システム。
【０１００】
［実施態様１４］  前記配置手段は、前記第１の画像データと前記第２の画像データの重なり部分が最小となるよう配置することを特徴とする実施態様１３に記載の画像処理システム。
【０１０１】
［実施態様１５］  前記変倍手段は、前記第１の画像データの上に前記第２の画像データを重ねる場合に、前記第１の画像データに対する変倍処理の倍率よりも前記第２の画像データに対する変倍処理の倍率を大きくすることを特徴とする実施態様１３または実施態様１４に記載の画像処理システム。
【０１０２】
［実施態様１６］  前記画像処理装置は、被写体を撮影して前記画像データを生成する撮影手段と、前記撮影手段の生成した画像データに対して画像処理を施して処理後画像データを生成する画像処理手段とを更に具備し、
前記第１の画像データは、前記撮影手段の生成した画像データであり、前記第２の画像データは、前記画像処理手段が生成した処理後画像データであることを特徴とする実施態様１３から実施態様１５のいずれか一つに記載の画像処理システム。
【０１０３】
［実施態様１７］  前記第１の画像データは前記第２の画像データと比べて、データ量がより大きいまたは解像度がより高いものであることを特徴とする実施態様１３から実施態様１６のいずれか一つに記載の画像処理システム。
【０１０４】
［実施態様１８］  前記第２の画像データは、前記第１の画像データにおいて経時的変化の差分を求めた差分画像データであることを特徴とする実施態様１３から実施態様１７のいずれか一つに記載の画像処理システム。
【０１０５】
［実施態様１９］  前記配置手段は、前記第１の画像データの形状に応じて前記第２の画像データの配置を特定することを特徴とする実施態様１３から実施態様１８のいずれか一つに記載の画像処理システム。
【０１０６】
［実施態様２０］  前記配置手段は、前記出力メディアの形状に応じて前記第１の画像データおよび前記第２の画像データを配置することを特徴とする実施態様１３から実施態様１９のいずれか一つに記載の画像処理システム。
【０１０７】
［実施態様２１］  前記配置手段は、前記第１の画像データにおける画像内容を示す画像種別に応じて前記第１の画像データおよび前記第２の画像データを配置することを特徴とする実施態様１３から実施態様２０のいずれか一つに記載の画像処理システム。
【０１０８】
［実施態様２２］  画像データを処理する画像処理装置と、種々の情報を複数種類の出力メディアに出力可能な出力処理装置とを具備する画像処理システムを用いた画像処理方法であって、
前記画像処理装置にて、前記画像データの種類に応じた出力メディアで前記画像データを出力するよう前記出力処理装置に指示する第１の出力処理を行う第１のステップと、
前記画像処理装置にて、前記画像データに関連する関連情報を当該関連情報の属性に応じた出力メディアで出力するよう前記出力処理装置に指示する第２の出力処理を行う第２のステップと
前記出力処理装置にて、前記第１のステップおよび前記第２のステップによる前記画像処理装置からの指示に応じた種類の出力メディアに前記画像データおよび前記関連情報を出力する第３のステップと
を有することを特徴とする画像処理方法。
【０１０９】
［実施態様２３］  前記画像データが第１の画像データであり、前記関連情報が前記第１の画像データを画像処理した第２の画像データである場合に、
前記画像処理装置において、前記第１のステップは、前記第１の画像データに応じた第１の出力メディアを用いて前記第１の画像データを出力するよう前記出力処理装置へ指示する前記第１の出力処理を行い、
前記画像処理装置において、前記第２のステップは、前記第２の画像データに応じた第２の出力メディアを用いて前記第２の画像データを出力するよう前記出力処理装置へ指示する前記第２の出力処理を行うことを特徴とする実施態様２２に記載の画像処理方法。
【０１１０】
［実施態様２４］  複数種類の画像データを処理する画像処理装置と、前記画像処理装置が処理した画像データを出力メディアに出力する出力処理装置とを具備する画像処理システムを用いた画像処理方法であって、
前記画像処理装置において、前記画像データの種類に応じて各画像データの拡大縮小を行う第１のステップと、
前記画像処理装置において、前記第１のステップで拡大縮小した複数の前記画像データを所定の位置に配置して合成することで合成後画像データを生成する第２のステップと、
前記画像処理装置において、前記第２のステップで生成した前記合成後画像データを出力するよう前記出力処理装置に指示する第３のステップと、
前記出力処理装置において、前記画像処理装置からの指示に応じて前記合成後画像データを出力する第４のステップと
を有することを特徴とする画像処理方法。
【０１１１】
［実施態様２５］  第１の画像データおよび第２の画像データを基に第３の画像データを生成する画像処理装置と、前記画像処理装置が生成した前記第３の画像データを出力メディアに出力する出力処理装置とを具備する画像処理システムを用いた画像処理方法であって、
前記画像処理装置において、前記第１の画像データおよび前記第２の画像データの属性に応じて、前記第１の画像データおよび前記第２の画像データに拡大縮小を行う第１のステップと、
前記画像処理装置において、前記第１のステップで拡大縮小した前記第１の画像データおよび前記第２の画像データを所定の位置に配置して合成することで前記第３の画像データを生成する第２のステップと、
前記画像処理装置において、前記第２のステップで生成した前記第３の画像データを出力するよう前記出力処理装置に指示する第３のステップと、
前記出力処理装置において、前記画像処理装置からの指示に応じて前記第３の画像データを出力する第４のステップと
を有することを特徴とする画像処理方法。
【０１１２】
［実施態様２６］  画像データを処理する画像処理装置と、種々の情報を複数種類の出力メディアに出力可能な出力処理装置とを具備する画像処理システム用のプログラムを記録した記録媒体であって、
前記画像処理装置にて、前記画像データの種類に応じた出力メディアで前記画像データを出力するよう前記出力処理装置に指示する第１の出力処理を行う第１のステップと、
前記画像処理装置にて、前記画像データに関連する関連情報を当該関連情報の属性に応じた出力メディアで出力するよう前記出力処理装置に指示する第２の出力処理を行う第２のステップと
前記出力処理装置にて、前記第１のステップおよび前記第２のステップによる前記画像処理装置からの指示に応じた種類の出力メディアに前記画像データおよび前記関連情報を出力する第３のステップと
をコンピュータに実行させるためのプログラムを記録したコンピュータ読み取り可能な記録媒体。
【０１１３】
［実施態様２７］  前記画像データが第１の画像データであり、前記関連情報が前記第１の画像データを画像処理した第２の画像データである場合に、
前記画像処理装置において、前記第１のステップは、前記第１の画像データに応じた第１の出力メディアを用いて前記第１の画像データを出力するよう前記出力処理装置へ指示する前記第１の出力処理を行い、
前記画像処理装置において、前記第２のステップは、前記第２の画像データに応じた第２の出力メディアを用いて前記第２の画像データを出力するよう前記出力処理装置へ指示する前記第２の出力処理を行うことを特徴とする実施態様２６に記載の記録媒体。
【０１１４】
［実施態様２８］  複数種類の画像データを処理する画像処理装置と、前記画像処理装置が処理した画像データを出力メディアに出力する出力処理装置とを具備する画像処理システム用のプログラムを記録した記録媒体であって、
前記画像処理装置において、前記画像データの種類に応じて各画像データの拡大縮小を行う第１のステップと、
前記画像処理装置において、前記第１のステップで拡大縮小した複数の前記画像データを所定の位置に配置して合成することで合成後画像データを生成する第２のステップと、
前記画像処理装置において、前記第２のステップで生成した前記合成後画像データを出力するよう前記出力処理装置に指示する第３のステップと、
前記出力処理装置において、前記画像処理装置からの指示に応じて前記合成後画像データを出力する第４のステップと
をコンピュータに実行させるためのプログラムを記録したコンピュータ読み取り可能な記録媒体。
【０１１５】
［実施態様２９］  第１の画像データおよび第２の画像データを基に第３の画像データを生成する画像処理装置と、前記画像処理装置が生成した前記第３の画像データを出力メディアに出力する出力処理装置とを具備する画像処理システム用のプログラムを記録した記録媒体であって、
前記画像処理装置において、前記第１の画像データおよび前記第２の画像データの属性に応じて、前記第１の画像データおよび前記第２の画像データに拡大縮小を行う第１のステップと、
前記画像処理装置において、前記第１のステップで拡大縮小した前記第１の画像データおよび前記第２の画像データを所定の位置に配置して合成することで前記第３の画像データを生成する第２のステップと、
前記画像処理装置において、前記第２のステップで生成した前記第３の画像データを出力するよう前記出力処理装置に指示する第３のステップと、
前記出力処理装置において、前記画像処理装置からの指示に応じて前記第３の画像データを出力する第４のステップと
をコンピュータに実行させるためのプログラムを記録したコンピュータ読み取り可能な記録媒体。
【０１１６】
［実施態様３０］  画像データを処理する画像処理装置と、種々の情報を複数種類の出力メディアに出力可能な出力処理装置とを具備する画像処理システム用のプログラムであって、
前記画像処理装置にて、前記画像データの種類に応じた出力メディアで前記画像データを出力するよう前記出力処理装置に指示する第１の出力処理を行う第１のステップと、
前記画像処理装置にて、前記画像データに関連する関連情報を当該関連情報の属性に応じた出力メディアで出力するよう前記出力処理装置に指示する第２の出力処理を行う第２のステップと
前記出力処理装置にて、前記第１のステップおよび前記第２のステップによる前記画像処理装置からの指示に応じた種類の出力メディアに前記画像データおよび前記関連情報を出力する第３のステップと
をコンピュータに実行させるためのプログラム。
【０１１７】
［実施態様３１］  前記画像データが第１の画像データであり、前記関連情報が前記第１の画像データを画像処理した第２の画像データである場合に、
前記画像処理装置において、前記第１のステップは、前記第１の画像データに応じた第１の出力メディアを用いて前記第１の画像データを出力するよう前記出力処理装置へ指示する前記第１の出力処理を行い、
前記画像処理装置において、前記第２のステップは、前記第２の画像データに応じた第２の出力メディアを用いて前記第２の画像データを出力するよう前記出力処理装置へ指示する前記第２の出力処理を行うことを特徴とする実施態様３０に記載のプログラム。
【０１１８】
［実施態様３２］  複数種類の画像データを処理する画像処理装置と、前記画像処理装置が処理した画像データを出力メディアに出力する出力処理装置とを具備する画像処理システム用のプログラムであって、
前記画像処理装置において、前記画像データの種類に応じて各画像データの拡大縮小を行う第１のステップと、
前記画像処理装置において、前記第１のステップで拡大縮小した複数の前記画像データを所定の位置に配置して合成することで合成後画像データを生成する第２のステップと、
前記画像処理装置において、前記第２のステップで生成した前記合成後画像データを出力するよう前記出力処理装置に指示する第３のステップと、
前記出力処理装置において、前記画像処理装置からの指示に応じて前記合成後画像データを出力する第４のステップと
をコンピュータに実行させるためのプログラム。
【０１１９】
［実施態様３３］  第１の画像データおよび第２の画像データを基に第３の画像データを生成する画像処理装置と、前記画像処理装置が生成した前記第３の画像データを出力メディアに出力する出力処理装置とを具備する画像処理システム用のプログラムであって、
前記画像処理装置において、前記第１の画像データおよび前記第２の画像データの属性に応じて、前記第１の画像データおよび前記第２の画像データに拡大縮小を行う第１のステップと、
前記画像処理装置において、前記第１のステップで拡大縮小した前記第１の画像データおよび前記第２の画像データを所定の位置に配置して合成することで前記第３の画像データを生成する第２のステップと、
前記画像処理装置において、前記第２のステップで生成した前記第３の画像データを出力するよう前記出力処理装置に指示する第３のステップと、
前記出力処理装置において、前記画像処理装置からの指示に応じて前記第３の画像データを出力する第４のステップと
をコンピュータに実行させるためのプログラム。
【０１２０】
【発明の効果】
以上説明したように、本発明の画像処理システムにおいては、画像データの種類に応じた出力メディアで画像データを出力し、関連情報の属性に応じた出力メディアで関連情報を出力するので、画像データとその画像データに関連する関連情報を、各々の情報量などに応じた複数種類の出力メディアで出力することができるので、出力メディアのコストを抑えることができる。
【図面の簡単な説明】
【図１】本発明の第１の実施形態である画像処理システムの概略構成を示す図である。
【図２】図１に示した画像処理システムの画像処理装置における画像処理の動作を示す図である。
【図３】画像処理システムの出力処理装置２０における出力処理の動作を示す図である。
【図４】第一の出力順序でフィルムと紙をそれぞれまとめて同一トレイに出力した場合の出力状態例を示す図である。
【図５】第二の出力順序でフィルムと紙を同一トレイに出力した場合の出力状態例を示す図である。
【図６】本発明の第２の実施形態である画像処理システムの概略構成を示す図である。
【図７】図６に示した画像処理システムの画像処理装置１０ａの動作を示す図である。
【図８】図６に示した画像処理システムの出力処理装置２０ａの動作を示す図である。
【図９】本発明の第３の実施形態における画像処理システムを示す図である。
【図１０】図９に示した画像処理システムの動作を示す図である。
【図１１】胸部正面を撮影した現在画像と差分画像を合成して同一のフィルムへ出力した例を示す図である。
【図１２】胸部側面を撮影した現在画像と差分画像を合成して同一の紙へ出力した例を示す図である。
【図１３】従来の小児のＸ線撮影における画像出力例を示す図である。
【図１４】図９に示した画像処理システムにおいて小児のＸ線撮影における画像出力例を示す図である。
【符号の説明】
１０、１０ａ、１０ｂ    画像処理装置
２０、２０ａ、２０ｂ    出力処理装置
１１        制御部
１２        画像情報データベース
１３        Ｘ線画像撮影処理部
１４        差分画像処理部
１５        送受信処理部
１６        出力処理部
１７        出力条件設定処理部
１８、２７  出力調停処理部
１９、２３  画像情報保存部
１９ａ、２３ａ  第一の画像情報保存部
１９ｂ、２３ｂ  第二の画像情報保存部
１Ａ        変倍判断処理部
１Ｂ        変倍処理部
１Ｃ        配置処理部
１Ｄ        出力処理部
２１        制御部
２２        送受信処理部
２４        画像種別判定処理部
２５        フィルム出力処理部
２６        紙出力処理部
２８        トレイ制御部
２Ａ        出力処理部
【図１】
2004341915.tif 000004
【図２】
2004341915.tif 000005
【図３】
2004341915.tif 000006
【図４】
2004341915.tif 000007
【図５】
2004341915.tif 000008
【図６】
2004341915.tif 000009
【図７】
2004341915.tif 000010
【図８】
2004341915.tif 000011
【図９】
2004341915.tif 000012
【図１０】
2004341915.tif 000013
【図１１】
2004341915.tif 000014
【図１２】
2004341915.tif 000015
【図１３】
2004341915.tif 000016
【図１４】
2004341915.tif 000017